(57)【特許請求の範囲】
【請求項１】
メントールを含む忌避剤を貯留する容器と、加圧空気を発生し供給する加圧空気供給器と、発生した加圧空気を前記容器に送り込む加圧空気導入配管と、加圧空気により前記容器内で発生するメントール気体を容器外に放出するメントール気体取出し配管とからなる有害動物忌避装置において、
前記メントールを含む忌避剤はメントール結晶であって、
前記容器内を仕切り体によりメントール結晶を収容する忌避剤収容空間と忌避剤収容区間で発生したメントール気体を貯留するメントール気体溜り空間とに区分し、
前記仕切り体は前記容器内でのメントール結晶の移動を抑えるとともにメントール気体を透過する多孔性素材で構成し、
前記加圧空気導入配管は容器外から前記忌避剤収容空間に連結されるとともに、
前記メントール気体取出し配管は前記メントール気体溜り空間から容器外部に連結されていることを特徴とする有害動物忌避装置。
【発明の詳細な説明】
【技術分野】
【０００１】
本発明はメントールを含む忌避剤を使用する有害動物忌避方法および有害動物忌避装置に関する。
【背景技術】
【０００２】
ネズミ、イタチ、ハクビシンなどの小動物、ゴキブリ、ヤスデ、ハエなどの虫は住居、倉庫、店舗、厨房などの屋内に侵入し、居留してその排泄物などにより不衛生な状態を発生させて人畜に有害となる。これらの有害動物を忌避する忌避剤としてハーブ、メントールなどがあり、忌避剤を拡散する様々な方法がある。
【０００３】
メントールは常温で固体であり、昇華により直接気体となる性質を有するが、昇華の速度は緩慢である。またメントールはアルコールや油脂に溶解し、水には極めて溶解し難い性質を有する。そこでこれを忌避剤として使用する場合、従来は、メントールをアルコールもしくは油脂の溶剤により溶解し固体担体に吸着または混合して容器に収容し、これを有害動物の侵入しやすい場所および居留場所に置くか、メントールのアルコールもしくは油脂溶解液を直接噴霧、散布し、または吸液芯に含浸させ、吸液芯から蒸散させて、対象空間に漂うメントール成分により有害動物の忌避効果を期待していた。
【０００４】
しかし、これらの方法では忌避剤の拡散する範囲が狭く、または忌避剤の忌避効果を有する成分が停滞する領域が忌避剤およびその装置近辺に限られ、また忌避効果持続時間が限られるため、有害動物が忌避剤およびその装置を回避しやすく、有害動物の被害を受ける屋内空間を忌避効果の期待できる忌避成分で満たすためには多くの忌避剤およびその装置を配置し、またその忌避効力が低下する前に忌避剤およびその装置を新たなものと交換する必要があり、このため有害動物を効果的に忌避することが難しい傾向があった。
【０００５】
たとえばメントールのアルコール溶融液を噴霧器などで直接散布する場合には、空間に停滞する忌避剤成分は短時間に拡散し飛散して希薄となり、散布時に壁や床に付着したメントール溶融液も短時間で気化・拡散し飛散して希薄となり、このため有害動物忌避効果を上げるには広い範囲に何度も散布する必要があり、また建物の構造上、屋根裏や壁裏など散布困難で忌避剤が行き渡らない場所の存在が避けられず、有害動物が忌避剤を回避して居留しやすい。
【０００６】
また、メントール溶融液を吸液芯に含浸させて吸液芯から空間に発散させる場合、吸液芯から放出されるメントール成分の量は吸液芯から離れるに従って減少し、また、メントール成分が放出される量と速度は吸液芯の構造により限界があるため、有害動物忌避効果が高い範囲が限定され、有害動物が忌避剤拡散領域を回避してしまう場合が多い。
【先行技術文献】
【特許文献】
【０００７】
【特許文献１】特開平９―２１５４６６号公報
【発明の概要】
【発明が解決しようとする課題】
【０００８】
本発明は、従来の技術では有害動物が侵入し居留する屋内空間に忌避剤としてのメントール気体を有害動物が回避困難なほど十分に行き渡らせることが難しいことに着目し、広い範囲にメントール気体を満たして、高い有害動物忌避効果を得る方法とそのための装置を提供しようとするものである。
【課題を解決するための手段】
【０００９】
本発明の有害動物忌避方法は、メントールを含む忌避剤を容器に入れて用い、前記忌避剤が収容される忌避剤収容空間に加圧空気を送り込んでメントール気体を発生させるとともに前記容器内部の圧力を高め、前記加圧空気で発生する前記メントール気体を対象空間に放出することを特徴とする。
【００１０】
本発明の有害動物忌避方法は、前記容器内を仕切体によって前記忌避剤収容空間と前記メントール気体を貯留するメントール気体溜り空間に区分することを特徴とする。
【００１１】
本発明の有害動物忌避方法は、前記加圧空気は前記忌避剤収容空間に連続的に送り込まれることを特徴とする。
【００１２】
本発明の有害動物忌避装置は、
忌避剤を貯留する容器と、
前記忌避剤を収容する忌避剤収容空間と、
加圧空気を発生し供給する加圧空気供給器と、
前記容器内の前記忌避剤収容空間に前記加圧空気供給器から供給される前記加圧空気を送り込む加圧空気導入配管と、
前記容器内に発生するメントール気体を貯留するメントール気体溜り空間と、
前記容器につながり前記容器内に発生する前記メントール気体を前記メントール気体溜り空間から前記容器外に取り出すメントール気体取出し配管とを備え、
前記加圧空気供給器から供給される前記加圧空気を前記忌避剤収容空間に送り込んで前記忌避剤から前記メントール気体を発生させ、発生した前記メントール気体を前記メントール気体溜り空間に貯留し、大気圧より高められた前記メントール気体を前記メントール気体取出し配管から前記容器外の対象空間に放出することを特徴とする。
【００１３】
本発明の有害動物忌避装置は、前記容器内において、前記容器内部を区切り前記忌避剤収容空間および前記メントール気体溜り空間を形成し、前記忌避剤の移動を抑える仕切体を備えることを特徴とする。
【００１４】
本発明の有害動物忌避装置は、前記加圧空気供給器に、単位質量当りのエネルギーが２５ｋＮｍ／ｋｇ以上の圧縮機を用いることを特徴とする。
【００１５】
本発明は前記忌避剤収容空間に前記加圧空気を送り込んで前記メントール気体を発生させるとともに発生する前記メントール気体を大気圧以上に加圧して対象空間に送り出すことにより上記課題を解決する。
【発明の効果】
【００１６】
本発明はメントールを含む忌避剤を容器に収容し、前記容器内の忌避剤収容空間に加圧空気を送り込んで前記忌避剤からメントール気体を発生させるとともに前記メントール気体を大気圧以上に加圧して前記容器から対象空間に送り出すことにより、有害動物が侵入し居留する屋内空間に忌避剤としての前記メントール気体を有害動物が回避困難なほど十分に行き渡らせる有害動物忌避方法および有害動物忌避装置により、広い範囲にメントール気体を満たして、高い有害動物忌避効果を得ることができる。
【図面の簡単な説明】
【００１７】
【図１】本発明の実施形態例１の説明図である。
【図２】本発明の実施形態例２の説明図である。
【発明を実施するための形態】
【００１８】
本発明で有害動物忌避剤として使用するメントールは常温で無色結晶状の固体であり、固体から昇華して気体となる性質を有し、またアルコールに極めて溶けやすく、油脂に溶け、水に極めて溶けにくい性質を有する。本発明ではこうしたメントールの性質から、次の３態様で有害動物忌避剤として用いる。（１）固体のメントール結晶をそのまま用いる。（２）メントールのアルコール溶解液もしくは油脂溶解液を用いる。（３）固体のメントールにアルコールの水溶液もしくは蒸留酒を加え、固体と液体の混合物として用いる。
【００１９】
［忌避剤態様１］
忌避剤に固体のメントール結晶をそのまま用いる場合は、メントールが昇華して気体となる性質を利用して、容器内のメントール結晶収容空間に加圧空気を送り込んでメントール気体の発生を促進する。この場合は忌避剤が固体のため容器が傾いたり転倒しても忌避剤が漏出する危険が少なく、装置設置の自由度が高い。
【００２０】
［忌避剤態様２］
忌避剤に、メントールのアルコール溶解液もしくは油脂溶解液を用いる場合は、容器内のメントールのアルコール溶解液もしくは油脂溶解液に加圧空気を送り込んで発生する気泡によりアルコール溶解液もしくは油脂溶解液を攪拌してメントール気体の発生を促進する。この場合は忌避剤が液状のため、装置が転倒しないように設置する必要があり、装置設置の自由度が制限されるが、メントールのアルコール溶解液もしくは油脂溶解液は気化しやすく、メントール気体の発生が盛んになる。
【００２１】
［忌避剤態様３］
忌避剤に、固体のメントールにアルコールの水溶液もしくは蒸留酒を加え、固体と液体の混合物として用いる場合は、メントールの一部がアルコール水溶液もしくは蒸留酒のアルコール成分に溶解するものの、大部分のメントール結晶は未融解で、忌避剤はメントール結晶とアルコール水溶液もしくは蒸留酒との混合状態となる。このため容器内に収容した液状の忌避剤に加圧空気を送り込んで発生する気泡により液状の忌避剤およびメントール結晶を攪拌してメントール気体の発生を促進する。この場合は忌避剤が一部液状のため、装置が転倒しないように設置する必要があり、装置設置の自由度が制限されるが、固体と液体の混在によりメントール気体の発生が盛んになる。
【００２２】
本発明は上記のようなメントールを含む忌避剤を容器に貯留し、この忌避剤に加圧空気を送り込んでメントール気体の発生を促進し、同時に忌避剤から発生するメントール気体を大気圧以上に加圧して容器外に放出するため、この加圧空気にはある程度の強さが必要である。このため加圧空気を供給する機械には圧縮機すなわち羽根車もしくはロータの回転運動またはピストンの往復運動によって気体を圧送する機械であって単位質量当りのエネルギーが２５ｋＮｍ／ｋｇ以上のものを用いる。送風機、ファンすなわち羽根車の回転運動によって気体にエネルギーを与える機械で，単位質量当たりのエネルギーが ２５ｋＮｍ／ｋｇ未満のものは出力が足りない。
【００２３】
加圧空気供給器に使用する圧縮機の出力は単位質量当りのエネルギーが２５ｋＮｍ／ｋｇ以上すなわち標準空気の場合の圧力約３０ｋＰａ以上であるが、圧力が高いと発生するメントール気体の量が増える一方、忌避剤の消耗が著しく早くなり、頻繁に補給が必要となる。このため、装置の大きさにもよるが、実用上設置が便利な容器容積１リットル程度の場合は、圧縮機にはブロワすなわち有効吐出し圧力が２００ｋＰａ以下のものが最適である。
【００２４】
容器内を、前記忌避剤を貯留する忌避剤収容空間と、発生するメントール気体を貯留するメントール気体溜り空間に区分する。加圧空気を容器外から忌避剤収容空間に導入することにより、加圧空気が前記忌避剤から逸れることなく作用しメントール気体を発生させる。発生したメントール気体は加圧空気の圧力で忌避剤収容空間から押し出されてメントール気体溜り空間に貯留し、ここで圧力と濃度が高められ、容器の開口部分から放出される。このように容器内に二つの空間を区分して構成することにより、装置が効率的に機能し、圧力と濃度が安定化されたメントール気体を目的の空間に継続的に放出する。
【００２５】
容器内で忌避剤収容空間とメントール気体溜り空間を区分するために、容器内に仕切体を配置する。仕切体は容器内部を二つの空間に区分するとともに、容器外から加圧空気を供給する配管を忌避剤収容空間に導くよう係留する。仕切体は忌避剤から発生するメントール気体を透過する素材を用いる。
【００２６】
以下、本発明の実施形態を図１の実施形態例１および図２の実施形態例２により説明する。
【００２７】
［実施形態例１］
実施形態例１は縦型の容器を用い、忌避剤を容器下部に収容し、容器上部から加圧空気を導入して、発生するメントール気体を容器上部から取り出す形態であり、構造を図１に示す。
【００２８】
図１において、装置は、忌避剤２および発生するメントール気体Bを貯留する容器１、加圧空気Aを発生する加圧空気供給器８、容器１を貫いて内部の忌避剤収容空間３に達する加圧空気導入配管６、容器１内で忌避剤２から発生するメントール気体Bをメントール気体溜り空間５から容器外部に取り出すメントール気体取出し配管７からなる。
【００２９】
忌避剤２には既に説明したメントールを含む忌避剤を使用する。忌避剤２を容器１に収容し、加圧空気供給器８が発生する加圧空気Aを加圧空気導入配管６に接続した後、加圧空気供給器８を稼動させると、加圧空気Aが加圧空気導入配管６を経由して容器１内部の忌避剤収容空間３に送り込まれ、加圧空気Aは忌避剤２に衝突しながら通過して忌避剤２からメントール気体Bを発生させ、メントール気体Bは容器１内のメントール気体溜り空間５に貯留する。加圧空気Aは続いて送り込まれるのでメントール気体溜り空間５に貯留するメントール気体Bは大気圧より高い状態となる。容器１にはメントール気体溜り空間５から容器１を貫通して、メントール気体出口９で外部に開口するメントール気体取出し配管７があるので、大気圧より高い状態のメントール気体Bはメントール気体取出し配管７を通り、メントール気体出口９から放出される。加圧空気供給器８からは続いて加圧空気Aが送り込まれるため、容器１内のメントール気体Bは次々に送り出されて対象空間に広がっていく。なお、加圧空気Aは忌避剤２の中を衝突しながら通過してメントール気体溜り空間５に出て行くため、メントール気体溜り空間５に貯留する気体は厳密にはメントール気体Bと加圧空気Aの混合気体となるが、動作概念を簡単に説明するため、メントール気体溜り空間５に貯留し外部に放出される気体をメントール気体Bと単純化している。
【００３０】
有害動物が居留している場所が屋根裏や壁裏など、本発明の装置を置き稼動させることが困難な環境の場合には、メントール気体取出し配管７のメントール気体出口９に長いパイプなどの気体搬送用具を接続して、その先端を有害動物が居留している場所に開口させ、メントール気体を集中的に送り込むことにより、有害動物忌避効果が得られる。
【００３１】
図１において、容器１内の忌避剤収容空間３とメントール気体溜り空間５は、重力により忌避剤２が容器１の下部に貯留することにより自ずと形成されるが、容器１が設置環境により振動、揺動、傾斜または転倒した場合に加圧空気導入配管６の先端が忌避剤２から外れて加圧空気Aが忌避剤２に届かなくなることを防ぐため、容器１内に仕切体４を置いて、忌避剤収容空間３とメントール気体溜り空間５を区切るとともに忌避剤２の移動を抑える。仕切体４は忌避剤２に固体のメントール結晶をそのまま用いる場合、および固体のメントールにアルコールの水溶液もしくは蒸留酒を加え固体と液体の混合物として用いる場合に有効であり、忌避剤２の移動を抑えるとともにメントール結晶片が加圧空気Aにより飛散してメントール気体取出し配管７に詰まるのを防止する。忌避剤２に液状のメントールのアルコール溶解液もしくは油脂溶解液を用いる場合は、仕切体４は忌避剤２の揺動を抑える効果がある。仕切体４はメントール気体Bを透過し、メントール結晶を通さない性状の素材、すなわち金属もしくはプラスチックの網または不織布、ろ紙などの多孔性素材を用いる。
【００３２】
［実施形態例２］
実施形態例２は横型の小型容器を用い、忌避剤を容器の片端に収容し、忌避剤に近い容器端部から加圧空気を導入して、発生するメントール気体を忌避剤より遠い容器端部から取り出す形態であり、加圧空気およびメントール気体の流れは水平方向に直線的となるもので、その構造を図２に示す。小型化により、装置設置の自由度を高めるとともに装置のコストを抑える。
【００３３】
図２において、装置は、忌避剤２および発生するメントール気体Bを貯留する容器１、加圧空気Aを発生する加圧空気供給器８、容器１を貫いて内部の忌避剤収容空間３に達する加圧空気導入配管６、容器１内で忌避剤２から発生するメントール気体Bをメントール気体溜り空間５から容器外部に取り出すメントール気体取出し配管７、容器１内で忌避剤２の移動を抑え、忌避剤収容空間３とメントール気体溜り空間５を区切る仕切体４からなる。
【００３４】
忌避剤２には既に説明したメントールを含む忌避剤を使用する。忌避剤２を容器１内に収容し、忌避剤２の移動を抑えるとともに忌避剤収容空間３とメントール気体溜り空間５を区切る仕切体４を配置し、加圧空気供給器８が発生する加圧空気Aを加圧空気導入配管６に接続した後、加圧空気供給器８を稼動させると、加圧空気Aが加圧空気導入配管６を経由して容器１内部の忌避剤収容空間３に送り込まれ、加圧空気Aは忌避剤２に衝突しながら通過して忌避剤２からメントール気体Bを発生させ、メントール気体Bは容器１内の仕切体４を透過してメントール気体溜り空間５に貯留する。加圧空気Aは続いて送り込まれるのでメントール気体溜り空間５に貯留するメントール気体Bは大気圧より高い状態となる。容器１にはメントール気体溜り空間５から容器１を貫通して、メントール気体出口９で外部に開口するメントール気体取出し配管７があるので、大気圧より高い状態のメントール気体Bはメントール気体取出し配管７を通り、メントール気体出口９から放出される。加圧空気供給器８からは続いて加圧空気Aが送り込まれるため、容器１内のメントール気体Bは加圧空気Aに押し出される形で次々にメントール気体出口９から送り出されていく。
【００３５】図２において容器１は横置きとなるため、通常は忌避剤２には固体のメントール結晶を使用する。忌避剤２に液体を用いることも可能であるが、その場合は容器１を忌避剤収容空間３が下になるように垂直に立てて固定する必要がある。忌避剤２に固体のメントール結晶を用いる場合は、容器１の置き方によらず仕切体４により忌避剤２の位置が保持されるので装置設置の自由度が高い。 
【００３６】
［実施例］
図１の装置を実際に製作して、忌避剤としてメントール結晶に蒸留酒を加えたものを用い、ネズミが盛んに徘徊し排泄物や深夜の騒音被害が深刻だった屋内でその室内空間および屋根裏にメントール気体を放出するよう設置し連続稼動させたところ、その日からネズミの徘徊が解消され、その後数月経過してもネズミ排泄物や食物被害など徘徊・居留を窺わせる気配がない。この実施例では容器容積１リットル、忌避剤はメントール結晶約５０ｇと蒸留酒約２００ｍｌの混合物、加圧空気供給器は吐出量毎分３．５リットルの観賞魚用ブロワを連続通電し、対象屋内空間は和室（居間と寝室）約２６平方メートルである。
【００３７】
上記と同様の装置を大小のネズミ数種類が徘徊し食物被害があった屋内で稼動させたところ、設置翌日からネズミの排泄物や食物被害がなくなった。装置は容器容積１リットル、忌避剤はメントール結晶約１００ｇと蒸留酒約４００ｍｌの混合物、加圧空気供給器は吐出量毎分３．５リットルの観賞魚用ブロワを連続通電し、対象屋内空間は約１５平方メートルで、幅９０ｃｍ高さ１８０ｃｍの開口部分のある土間の納戸である。
【００３８】
また、ネズミの食物被害や排泄物被害があった開口面の大きいシャッター付き車庫兼倉庫約４０平方メートルに、図１の装置１台と図２の装置２台を設置して連続稼動させたところ、稼動の数日後から排泄物や食物被害がなくなった。装置は、図１のものは容器容積１リットル、忌避剤はメントール結晶約５０ｇと蒸留酒約２００ｍｌの混合物、加圧空気供給器は吐出量毎分３．５リットルの観賞魚用ブロワを連続通電、図２のものは容器容積８０ｍｌ、忌避剤はメントール結晶のみ約１０ｇ、加圧空気供給器は吐出量毎分３．５リットルの観賞魚用ブロワを連続通電であった。図１のものを車庫奥の倉庫部分、図２のものを車庫の隅２ヶ所に設置した。
【符号の説明】
【００３９】
１  容器
２  忌避剤
３  忌避剤収容空間
４  仕切体
５  メントール気体溜り空間
６  加圧空気導入配管
７  メントール気体取出し配管
８  加圧空気供給器
９  メントール気体出口
Ａ  加圧空気
Ｂ  メントール気体
【図１】
0006295398.tif 000002
【図２】
0006295398.tif 000003